(57)【要約】【課題】  電子メールなどの電子文書の背景色や文字色を容易に指定可能とする。【解決手段】  撮像デバイス１３９は、撮影された映像を撮り込み、ＪＰＥＧフォーマットなどへエンコードしてＲＡＭ１３５に一旦保存する。画像処理制御部１３４は、ＯＣＲにより撮影した画像データを文字認識し、認識文字列を解析する。そして、解析した文字列に装飾記号があった場合には、認識した文字列を装飾記号に従って装飾してメール本文に取り込んだＥメール新規作成画面を表示する。メール新規作成画面において、ユーザにより、他の項目、宛先や件名などが入力された後、送信キーの操作が検出されると、通院制御部１３１により、作成したＥメールを送信する。【選択図】  図１
2006039724.tif 000002
【特許請求の範囲】
【請求項１】
特定の文字記号データと文書データを加工するための加工情報とを対応付けて記憶する加工情報記憶手段と、
文書を撮像する撮像手段と、
この撮像手段によって撮像された文書を認識し文書データに変換する変換手段と、
この変換手段によって変換された文書データに前記特定の文字記号データが含まれているか否かを判断する判断手段と、
この判断手段による判断の結果、前記特定の文字記号データが含まれると判断した場合、前記加工情報記憶手段に記憶されている加工情報に基づいて前記文書データを加工する加工手段と、
前記加工手段によって加工された文書データを含むメールを送信する送信手段と
を具備することを特徴とするデータ送信装置。
【請求項２】
前記加工手段は、前記文書データのうち特定の文字記号データに挟まれる箇所を装飾する装飾手段を含むことを特徴とする請求項１に記載のデータ送信装置。
【請求項３】
前記装飾手段は、前記文書データのうち特定の文字記号データに挟まれる箇所を、前記特定の文字記号データで特定される色で着色する着色手段を含むことを特徴とする請求項２に記載のデータ送信装置。
【請求項４】
前記装飾手段は、前記文書データのうち特定の文字記号データに挟まれる箇所を表示制御する表示制御手段を含むことを特徴とする請求項２に記載のデータ送信装置。
【請求項５】
前記加工手段は、前記判断手段により前記文書データに特定の文字記号データが含まれていると判断すると、この文書データをメールデータに加工するメールデータ加工手段を含むことを特徴とする請求項１に記載のデータ送信装置。
【請求項６】
前記メールデータ加工手段は、前記文書データを含み特定の書式で表示されるメールデータに加工することを特徴とする請求項５に記載のデータ送信装置。
【請求項７】
前記特定の文字記号データとは、複数の文字記号データからなる文字列データで構成されていることを特徴とする請求項１乃至６の何れかに記載のデータ送信装置。
【請求項８】
撮像部とデータ送信部を備えた電子機器におけるメールデータ送信方法であって、
この撮像部にて文書を撮像する撮像ステップと、
この撮像ステップにて撮像された文書を認識し文書データに変換する変換ステップと、
この変換ステップにて変換された文書データに前記特定の文字記号データが含まれているか否かを判断する判断ステップと、
この判断ステップによる判断の結果、前記特定の文字記号データが含まれると判断した場合、この文書データをメールデータに加工するメールデータ加工ステップと、
このメールデータ加工ステップにて加工されたメールデータを前記送信部にて送信させる送信ステップと
からなることを特徴とするメールデータ送信方法。
【請求項９】
撮像部とデータ送信部を備えた電子機器が備えるコンピュータが実行するメールデータ送信プログラムであって、
この撮像部にて文書を撮像する撮像手段と、
この撮像手段によって撮像された文書を認識し文書データに変換する変換手段と、
この変換手段によって変換された文書データに前記特定の文字記号データが含まれているか否かを判断する判断手段と、
この判断手段による判断の結果、前記特定の文字記号データが含まれると判断した場合、この文書データをメールデータに加工するメールデータ加工手段と、
このメールデータ加工手段によって加工されたメールデータを前記送信部にて送信させる送信手段と
して機能させることを特徴とするメールデータ送信プログラム。
【発明の詳細な説明】
【技術分野】
【０００１】
本発明は、例えばカメラ付携帯電話のような、撮像部とデータ送信部とを備えたデータ送信装置、メールデータ送信方法、および、メールデータ送信プログラムに関する。
【背景技術】
【０００２】
近年、携帯電話においては、静止画や動画を撮影する機能を有するカメラ付き携帯電話が一般的になってきており、撮影した画像データを電子メールに添付して送信することができるようになっている。また、最近の携帯電話においては、メモリ容量、表示サイズおよび処理能力が向上してきており、通話だけでなく、電話帳や電子メール、インターネット接続などの利用形態へと拡大しつつある。
【０００３】
ところで、このような携帯電話にあっても、電子メールへの文章入力や電話帳への登録、発信電話番号の入力などにおいては、テンキーを操作することにより行っている。このため、入力する文字数が多い場合には、文字入力操作が煩雑となり、手間がかかる、誤入力が多くなるなどの問題があった。
【０００４】
そこで、従来技術として、カメラ付き携帯電話において、印字された電話番号などの文字を、撮影機能により撮影した画像からＯＣＲによって電話番号や住所などを文字認識し、認識した文字列に従ってそのまま発信したり、電話帳の住所録へ登録する技術が提案されている（例えば特許文献１参照）。
【０００５】
【特許文献１】特開２００３−１６３７３６号公報
【発明の開示】
【発明が解決しようとする課題】
【０００６】
ところで、近年、携帯電話では、電子メールの本文の背景色や文字色を指定することができる装飾メールやＨＴＭＬメールが実現されている。このような装飾メールやＨＴＭＬメールの作成においては、やはりテンキーを操作することにより文字を入力し、更に、メニュー画面を開いて文字装飾を選択した後、色を指定するなど、手間がかかっていた。そこで、上述した従来技術（特許文献１）のようなＯＣＲ機能を用いて、電子メールの本文への文字入力を簡略化することが考えられる。
【０００７】
しかしながら、従来のカメラ付き携帯電話では、背景色や文字色を指定することができないため、文字をＯＣＲにより認識したとしても、文字入力を簡単にすることができるものの、背景や文字色を指定するためには、更に、メニュー画面を開いて文字装飾を選択した後、色を指定するなど、手間がかかるという問題があった。
【０００８】
そこで本発明は、電子メールなどの電子文書の背景色や文字色を容易に指定することができるデータ送信装置、メールデータ送信方法、および、メールデータ送信プログラムを提供することを目的とする。
【課題を解決するための手段】
【０００９】
上記目的達成のため、請求項１記載の発明によるデータ送信装置は、特定の文字記号データと文書データを加工するための加工情報とを対応付けて記憶する加工情報記憶手段と、文書を撮像する撮像手段と、この撮像手段によって撮像された文書を認識し文書データに変換する変換手段と、この変換手段によって変換された文書データに前記特定の文字記号データが含まれているか否かを判断する判断手段と、この判断手段による判断の結果、前記特定の文字記号データが含まれると判断した場合、前記加工情報記憶手段に記憶されている加工情報に基づいて前記文書データを加工する加工手段と、前記加工手段によって加工された文書データを含むメールを送信する送信手段とを具備することを特徴とする。
【００１０】
また、好ましい態様として、例えば請求項２記載のように、請求項１に記載のデータ送信装置において、前記加工手段は、前記文書データのうち特定の文字記号データに挟まれる箇所を装飾する装飾手段を含むようにしてもよい。
【００１１】
また、好ましい態様として、例えば請求項３記載のように、請求項２に記載のデータ送信装置において、前記装飾手段は、前記文書データのうち特定の文字記号データに挟まれる箇所を、前記特定の文字記号データで特定される色で着色する着色手段を含むようにしてもよい。
【００１２】
また、好ましい態様として、例えば請求項４記載のように、請求項２に記載のデータ送信装置において、前記装飾手段は、前記文書データのうち特定の文字記号データに挟まれる箇所を表示制御する表示制御手段を含むようにしてもよい。
【００１３】
また、好ましい態様として、例えば請求項５記載のように、請求項１に記載のデータ送信装置において、前記加工手段は、前記判断手段により前記文書データに特定の文字記号データが含まれていると判断すると、この文書データをメールデータに加工するメールデータ加工手段を含むようにしてもよい。
【００１４】
また、好ましい態様として、例えば請求項６記載のように、請求項５に記載のデータ送信装置において、前記メールデータ加工手段は、前記文書データを含み特定の書式で表示されるメールデータに加工するようにしてもよい。
【００１５】
また、好ましい態様として、例えば請求項７記載のように、請求項１乃至６の何れかに記載のデータ送信装置において、前記特定の文字記号データとは、複数の文字記号データからなる文字列データで構成されていてもよい。
【００１６】
また、上記目的達成のため、請求項８記載の発明によるメールデータ送信方法は、撮像部とデータ送信部を備えた電子機器におけるメールデータ送信方法であって、この撮像部にて文書を撮像する撮像ステップと、この撮像ステップにて撮像された文書を認識し文書データに変換する変換ステップと、この変換ステップにて変換された文書データに前記特定の文字記号データが含まれているか否かを判断する判断ステップと、この判断ステップによる判断の結果、前記特定の文字記号データが含まれると判断した場合、この文書データをメールデータに加工するメールデータ加工ステップと、このメールデータ加工ステップにて加工されたメールデータを前記送信部にて送信させる送信ステップとからなることを特徴とする。
【００１７】
また、上記目的達成のため、請求項９記載の発明によるメールデータ送信プログラムは、撮像部とデータ送信部を備えた電子機器が備えるコンピュータが実行するメールデータ送信プログラムであって、この撮像部にて文書を撮像する撮像手段と、この撮像手段によって撮像された文書を認識し文書データに変換する変換手段と、この変換手段によって変換された文書データに前記特定の文字記号データが含まれているか否かを判断する判断手段と、この判断手段による判断の結果、前記特定の文字記号データが含まれると判断した場合、この文書データをメールデータに加工するメールデータ加工手段と、このメールデータ加工手段によって加工されたメールデータを前記送信部にて送信させる送信手段として機能させることを特徴とする。
【発明の効果】
【００１８】
請求項１記載の発明によれば、特定の文字記号データと文書データを加工するための加工情報とを加工情報記憶手段に対応付けて記憶し、変換手段により、撮像手段によって撮像された文書を認識し文書データに変換し、判断手段により、この変換手段によって変換された文書データに前記特定の文字記号データが含まれているか否かを判断し、この判断手段による判断の結果、前記特定の文字記号データが含まれると判断した場合、加工手段により、前記加工情報記憶手段に記憶されている加工情報に基づいて前記文書データを加工し、送信手段により、前記加工手段によって加工された文書データを含むメールを送信するようにしたので、電子メールなどの電子文書の背景色や文字色を容易に指定することができるという利点が得られる。
【００１９】
請求項２記載の発明によれば、請求項１に記載の発明において、前記加工手段において、装飾手段により、前記文書データのうち特定の文字記号データに挟まれる箇所を装飾するようにしたので、電子メールなどの電子文書の背景色や文字色を容易に指定することができるという利点が得られる。
【００２０】
請求項３載の発明によれば、請求項２に記載の発明において、前記装飾手段では、着色手段により、前記文書データのうち特定の文字記号データに挟まれる箇所を、前記特定の文字記号データで特定される色で着色するようにしたので、電子メールなどの電子文書の背景色や文字色を容易に指定することができるという利点が得られる。
【００２１】
請求項４記載の発明によれば、請求項２に記載の発明において、前記装飾手段では、表示制御手段により、前記文書データのうち特定の文字記号データに挟まれる箇所を表示制御するようにしたので、電子メールなどの電子文書の背景色や文字色を容易に指定することができるという利点が得られる。
【００２２】
請求項５記載の発明によれば、請求項１に記載の発明において、前記加工手段では、メールデータ加工手段により、前記判断手段により前記文書データに特定の文字記号データが含まれていると判断すると、この文書データをメールデータに加工するようにしたので、電子メールなどの電子文書の背景色や文字色を容易に指定することができるという利点が得られる。
【００２３】
請求項６記載の発明によれば、請求項５に記載の発明において、前記メールデータ加工手段により、前記文書データを含み特定の書式で表示されるメールデータに加工するようにしたので、電子メールなどの電子文書の背景色や文字色を容易に指定することができるという利点が得られる。
【００２４】
請求項７記載の発明によれば、請求項１乃至６の何れかに記載の発明において、前記特定の文字記号データを、複数の文字記号データからなる文字列データで構成するようにしたので、電子メールなどの電子文書の背景色や文字色を容易に指定することができるという利点が得られる。
【００２５】
請求項８記載の発明によれば、撮像ステップで、撮像部にて文書を撮像し、変換ステップで、撮像された文書を認識し文書データに変換し、判断ステップで、変換された文書データに前記特定の文字記号データが含まれているか否かを判断し、前記特定の文字記号データが含まれると判断した場合、メールデータ加工ステップで、この文書データをメールデータに加工し、送信ステップで、加工されたメールデータを前記送信部にて送信させるようにしたので、電子メールなどの電子文書の背景色や文字色を容易に指定することができるという利点が得られる。
【００２６】
請求項９記載の発明によれば、この撮像部にて文書を撮像する撮像手段と、この撮像手段によって撮像された文書を認識し文書データに変換する変換手段と、この変換手段によって変換された文書データに前記特定の文字記号データが含まれているか否かを判断する判断手段と、この判断手段による判断の結果、前記特定の文字記号データが含まれると判断した場合、この文書データをメールデータに加工するメールデータ加工手段と、このメールデータ加工手段によって加工されたメールデータを前記送信部にて送信させる送信手段として機能させるようにしたので、電子メールなどの電子文書の背景色や文字色を容易に指定することができるという利点が得られる。
【発明を実施するための最良の形態】
【００２７】
以下、本発明の実施の形態を、カメラ付き携帯電話に適用した一実施例として、図面を参照して説明する。
【００２８】
Ａ．第１実施形態
Ａ−１．第１実施形態の構成
図１は、本発明の実施形態のカメラ付き携帯電話１の外観図（開状態：正面図、側面図）である。携帯電話１は、蓋部２と本体部３とからなる二つ折り構造である。スピーカ１０１は、蓋部２の前面側に設けられており、電話モードにおける通話時には音声出力を行う。表示部（メイン表示部）１０２は、縦３２０×横２４０ドットの表示面積を有したＱＶＧＡの解像度のカラー液晶であり、ユーザが正規に操作する場合は、縦長の表示形態で撮影した画像やダウンロードした画像、最大Ｌサイズ（縦１４４ドット×横１７６ドットで表示される正規の縦横比サイズ）の動画が表示可能である。また、このメイン表示部１０２は、横長にした表示形態で縦２４０ドット×横３２０ドットの動画が表示可能である。アンテナ１０３は、本体部３の背面に設けられており、伸縮自在となっている。
【００２９】
本体部３の前面には、カメラキー１０４、メールキー１０５、十字キー１０６、決定キー１０７、アドレスキー１０８、ネット接続キー１０９、クリアキー１１０、オンフックキー１１１とオフフックキー１１２、テンキー１１３が設けられている。これらのキーにおいて、十字キー１０６、決定キー１０７、アドレスキー１０８、ネット接続キー１０９は、この携帯電話１を右手で握持した場合、当該右手の親指で操作可能な位置に配置されている。また、本体部３の側面には、蓋を閉じた状態で動画撮影を開始するためのシャッターキー１１３ｂが設けられている。
【００３０】
カメラキー１０４は、電源オン状態におけるカメラモードへの移行、後述するＤＳＰ１４０の起動を指示するためのキーである。メールキー１０５は、メールモードへの移行、メールプログラムのロードを指示するためのキーである。十字キー１０６は、カーソルの移動、フォーカス（選択）の移動を指示するためのキーである。決定キー１０７は、モード選択を決定したり、選択を決定したり、撮影モードでのシャッターキーとして用いられるキーである。アドレスキー１０８は、アドレス帳データを表示するためのキーである。ネット接続キー１０９は、インターネットへ接続するためのキーである。クリアキー１１０は、選択などをキャンセルするためのキーである。オンフックキー１１１は、回線を接続するためのキーである。オフフックキー１１２は、電話モード／カメラモード兼用電源オフキー、電話モード立ち上げ用電源オンキー、回線を切断するためのキーである。テンキー１１３は、文字入力やダイアル入力を行うためのキーである。マイク１１４は、本体部３の下部に設けられており、通話時における音声入力を行なう。カードスロット（カバー）１１５は、外部記録メディア（例えば、ｍｉｎｉＳＤカード）を装着するスロットである。
【００３１】
蓋部２の背面には、サブ表示部１１６が設けられており、携帯電話１が閉じられた状態において、日時表示や、着信報知、メール着信報知、静止画や動画撮影時の補助画面などに用いられる他、カメラモードにおいては、後述する撮像レンズ１１８にて逐次撮り込まれる画像をモニター表示するためのファインダーとして機能する。報知用ＬＥＤ１１７は、発光することにより着信報知、メール着信報知を行う。撮像レンズ１１８は、静止画や動画を撮影する。フラッシュ用ＬＥＤ１１９は、静止画や動画撮影時に発光し、露出不足を防止するための発光手段である。報知スピーカ１２０は、着信や緊急時などを報知する他、カメラモードにおいては被写対象に聞こえるようにシャッター音を出力するものである。１２１はバッテリバックである。
【００３２】
次に、図２は、上述したカメラ付き携帯電話１の構成を示すブロック図である。図において、無線送受信部１３０は、無線によりアンテナ１０３を介して音声やデータ（メールデータ）を送受し変調／復調するなど、ＰＳＫ方式に基づく変復調、ＣＤＭＡ方式に基づく端末認証処理を含む通信処理を行う。
【００３３】
通信制御部１３１は、ＷＷＷ接続制御を含む当該機器を制御する。通信データ処理部１３１１は、ＣＬＥＰ系音声復号処理回路、パケットデータ生成回路、およびパケットデータ復元回路を含み、通信プロトコルに沿ったデータ処理を行う。オーディオインターフェース１３１２は、通信データ処理部１３１１で処理される音声信号の入出力処理を行い、マイク１１４からの音声を入力して音声信号に変換して、音声信号をスピーカ１０１から出力する。
【００３４】
システムＲＯＭ１３２は、図３に示すようなデータ構造を有し、主に無線通信処理全般を制御するための基本ＯＳやプロトコルプログラムを格納するプロトコル・プログラムエリア１３２１、端末の認証に必要な各種データ（加入者ＩＤを含む）などを格納する不揮発性設定データエリア１３２２からなる。ＲＡＭ１３３は、図４に示すようなデータ構造を有し、通信処理に関連するドライバ１３３１やワークエリア１３３２からなる。
【００３５】
画像処理制御部１３４は、撮影時または再生時における動画／静止画に対する、ＭＰＥＧ（ＭＰＥＧ４）／ＪＰＥＧエンコードおよびデコード処理全般を行う。また、画像処理制御部１３４は、撮影した画像データに対してＯＣＲにより文字認識を行い、文字列（文字記号データ）を取り出すとともに、後述する装飾記号に従って文字列に対して装飾を施す。
【００３６】
ＲＡＭ１３５は、図５に示すデータ構造を有し、アプリケーションヒープ（システムリソース領域）１３５１等を有するワークエリア、ユーザデータなどを格納するバックアップエリア１３５３、ファイルシステムを格納するシステム管理エリア１３５４、キャッシュメモリエリア１３５５、その他のエリア１３５６からなる。プログラムＲＯＭ１３６は、書き換え可能なＦｌａｓｈ  ＲＯＭで構成され、図６に示すようなデータ構造を有し、画像・イラスト・フォントなどを格納するデータエリア１３６１、ユーザデータ管理データやファイルシステム管理データなどを格納するファイルシステムエリア１３６２、データ１３６３やプログラム１３６４などを格納する辞書エリア、ＵＩプログラムエリア１３６５、ＤＳＰ１４０の制御プログラムを含むプログラム本体１３６６、認識変換テーブル１３６７を備える文字認識プログラムからなる。
【００３７】
表示モジュール系ドライバ１３７は、表示バッファを含み、サブ表示部１１６、メイン表示部１０２、報知用ＬＥＤ１１７、フラッシュ用ＬＥＤ１１９を駆動させる。ステップモータ１３８は、撮像レンズ１１８のズーム制御を行う。撮像デバイス１３９は、有効画素２００万画素相当のＣＣＤ、若しくはＣＭＯＳで構成され、撮像レンズ１１８により集束された映像をカラー画像として取り込み、Ａ／Ｄ変換を行ってカメラ内信号処理部１４０のＲＡＭ１５０に順次出力する。ＤＳＰ１５１は、カメラ内信号処理部１４０に含まれており、撮像デバイス１３９にて撮り込まれ、ＲＡＭ１５０に順次記憶される撮像データを、設定されたフレームレートに応じて切り出して読み出しストリームデータを生成する。特に、本実施形態では、撮像デバイス１３９により紙などに記された文章（文字列）を撮影するためにも用いられる。
【００３８】
音源ＩＣ１４２は、着信音などを生成する。アンプ１４３は、音源ＩＣ１４２からの音声信号を増幅し、報知スピーカ１２０から出力する。コネクタ１４４は、外部記録媒体（例えばｍｉｎｉＳＤカードなど）１４５を装着する。外部インターフェースコントローラ１４６は、ＵＳＢインターフェース、１８芯コネクタの両方のインターフェースを切り替え、外部機器との間でデータの送受信を制御する。ユーザメモリ１４９は、図７に示すようなデータ構造を有し、ダウンロードしたデータや、撮影した画像データ、動画ファイル、メールデータ、アドレス帳データなどを格納するデータエリア、リードオンリエリア、ファイルシステム管理データからなる。アドレスデータバス処理部１２３は、通信制御部１３１、画像処理制御部１３４のアドレス制御、バスのデータの流れを制御する。
【００３９】
次に、図８は、本第１実施形態において、認識変換テーブル１３６７における、撮影した文字列に対する装飾を指定するための装飾記号の一例を図示したものである。本第１実施形態では、文字列に装飾記号「＠Ｘ」を記すことにより、文字列の色を指定するようになっており、「Ｘ」が「Ｒ」の場合に「赤色」、「Ｂ」の場合に「青色」、「Ｇ」の場合に「緑色」、…を指定するようになっている。また、装飾記号「＠ｂ」を記すことにより、文字のブリンク（点滅）表示させることを指定するようになっている。
【００４０】
Ａ−２．第１実施形態の動作
次に、上述したカメラ付き携帯電話の動作について説明する。図９および図１０は、本第１実施形態における文字入力の処理の流れを示すフローチャートである。また、図１１は、本第１実施形態によるカメラ付き携帯電話１における文字入力の処理の動作を説明するための概念図である。
【００４１】
まず、撮影モードが起動されると、画像処理制御部１３４より、ステップモータ１３８、撮像デバイス１３９、及び、カメラ内信号処理部１４０（ＤＳＰ１５１）を起動する（ステップＳ１０）。次に、撮像デバイス１３９で撮影された映像を、カメラ内信号処理部１４０などを介して、メイン表示部１０２にスルー表示する（ステップＳ１２）。
【００４２】
次に、決定キー１０７（シャッターキー）の操作が検出されたか否かを判断し（ステップＳ１４）、決定キー１０７の操作が検出されない場合には、終了キーの操作が検出されたか否かを判断する（ステップＳ１６）。そして、終了キーの操作が検出されない場合には、ステップＳ１２へ戻り、スルー表示を継続する。
【００４３】
一方、決定キー１０７の操作が検出された場合には、画像の撮り込み、ＪＰＥＧフォーマットなどへエンコードしてＲＡＭ１３５に一旦保存する（ステップＳ１８）。次に、ＯＣＲにより撮影した画像データを文字認識し（ステップＳ２０）、認識文字列を解析する（ステップＳ２２）。次に、解析した文字列に図８に示す認識変換テーブル１３６７に図示するような装飾記号があるか否かを判断する（ステップＳ２４）。そして、装飾記号がない場合には、認識した文字列をそのまま表示する（ステップＳ２６）。
【００４４】
一方、いずれかの装飾記号があった場合には、Ｅメール新規作成画面を表示する（ステップＳ２８）。次に、認識した文字列を装飾記号に従って装飾して本文に挿入する（ステップＳ３０）。
【００４５】
ここで、図１１に、文字撮影からメール新規作成画面の表示、文字列の取り込みまでの様子を示している。図示の例では、装飾記号がない文章「こんにちは。今日の調子はどう？まだ遊びにいこうね。＾＿＾）」１００を撮影した場合には、認識した文字列がそのまま表示される。これに対して、装飾記号がない文章「こんにちは。今日の調子はどう？まだ遊びにいこうね。＾＿＾）」１０１を撮影した場合には、装飾記号「＠Ｒ」や「＠Ｂ」などがあるので、装飾記号に従って装飾された文字列が本文に挿入された状態で、Ｅメール新規作成画面１１０が表示される。すなわち、装飾記号「＠Ｒ」が記された「こんにちは。」は赤色で、装飾記号「＠Ｂ」が記された「今日の調子はどう？」は青色に装飾される。
【００４６】
次に、メール新規作成画面において、ユーザにより、他の項目、宛先や件名などを入力させる（ステップＳ３２）。次に、送信キーの操作が検出された否かを判断し（ステップＳ３４）、送信キーの操作が検出されると、必須項目（宛先、件名）が入力されているか判断する（ステップＳ３６）。そして、全ての必須項目が入力されていなければ、ステップＳ３２へ戻り、上述した処理を繰り返す。一方、全ての必須項目が入力されていれば、作成したＥメールを送信する（ステップＳ３８）。
【００４７】
上述した第１実施形態によれば、予め紙などに書いた文章に装飾記号を記しておけば、当該文章を撮影するだけで、上記装飾記号に従って装飾された文章をＥメールの本文に取り込んだ状態で、自動的にＥメール新規作成画面が立ち上がるので、装飾を選択、指定するなどの煩わしい操作を行うことなく、作成難易度の高い装飾メールを容易に作成することできる。また、ユーザにより、紙などに記した文章を容易に（複数）作成することができるため、装飾メール作成時のテンプレートとして利用することが可能となる。また、他のユーザが作成したもの（紙に記した文章）を利用可能であるので、装飾メールの利用機会がさらに増すことが期待される。
【００４８】
Ｂ．第２実施形態
次に、本発明の第２実施形態について説明する。なお、カメラ付き携帯電話１の構成は図１と同じであるので説明を省略する。本第２実施形態では、図１２に示すように、認識変換テーブル１３６７には、さらに、「＠Ｅ＠」および「＠Ｅ＠＠Ｘ」を追加している。装飾記号「＠Ｅ」は、文章がメールに挿入されるべき文字列であること、すなわちＥメール用テンプレートであることを示す。該装飾記号「＠Ｅ」は、必ず文書の先頭になければならない。また、装飾記号「＠Ｅ＠＠Ｘ」は、Ｅメール用テンプレートであり、かつＥメール本文の背景色を指定することを示す。該装飾記号「＠Ｅ＠＠Ｘ」では、「＠Ｅ＠」に続く装飾記号「＠Ｘ」にて背景色を指定しており、「Ｘ」が「Ｒ」の場合に「赤色」、「Ｂ」の場合に「青色」、「Ｇ」の場合に「緑色」、…を指定するようになっている。
【００４９】
Ｂ−１．第２実施形態の動作
次に、上述したカメラ付き携帯電話の動作について説明する。図１３および図１４は、本第２実施形態における文字入力の処理の流れを示すフローチャートである。また、図１５は、本第２実施形態によるカメラ付き携帯電話１における文字入力の処理の動作を説明するための概念図である。
【００５０】
まず、撮影モードが起動されると、画像処理制御部１３４より、ステップモータ１３８、撮像デバイス１３９、及び、カメラ内信号処理部１４０（ＤＳＰ１５１）を起動する（ステップＳ４０）。次に、撮像デバイス１３９で撮影された映像を、カメラ内信号処理部１４０などを介して、メイン表示部１０２にスルー表示する（ステップＳ４２）。
【００５１】
次に、決定キー１０７（シャッターキー）の操作が検出されたか否かを判断し（ステップＳ４４）、決定キー１０７の操作が検出されない場合には、終了キーの操作が検出されたか否かを判断する（ステップＳ４６）。そして、終了キーの操作が検出されない場合には、ステップＳ４２へ戻り、スルー表示を継続する。
【００５２】
一方、決定キー１０７の操作が検出された場合には、画像の撮り込み、ＪＰＥＧフォーマットなどへエンコードしてＲＡＭ１３５に一旦保存する（ステップＳ４８）。次に、ＯＣＲにより撮影した画像データを文字認識し（ステップＳ５０）、認識文字列を解析する（ステップＳ５２）。次に、解析した文字列に図１２に示す認識変換テーブル１３６７の装飾文字列のうち、特にＥメール起動記号である装飾記号「＠Ｅ＠」または「＠Ｅ＠＠Ｘ」があるか否かを判断する（ステップＳ５４）。そして、装飾記号「＠Ｅ＠」または「＠Ｅ＠＠Ｘ」がない場合には、Ｅメール起動記号以外の装飾記号（例えば、「＠Ｘ」など）があるか否かを判断し（ステップＳ５６）、Ｅメール起動記号以外の装飾記号がない場合には、認識した文字列をそのまま表示する（ステップＳ５８）。
【００５３】
一方、Ｅメール起動記号以外の装飾記号があった場合には、認識した文字列を装飾記号に従って装飾して表示し（ステップＳ６０）、その後、Ｅメール送信する指示があったか否かを判断する（ステップＳ６２）。そして、Ｅメール送信の指示がなければ、そのまま終了し、Ｅメール送信の指示があれば、後述するステップＳ６４へ進む。また、Ｅメール起動記号である装飾記号「＠Ｅ＠」または「＠Ｅ＠＠Ｘ」があった場合にも、ステップＳ６４へ進む。
【００５４】
Ｅメール送信の指示があった場合、あるいはいずれかの装飾記号「＠Ｅ＠」または「＠Ｅ＠＠Ｘ」があった場合には、Ｅメール新規作成画面を表示する（ステップＳ６４）。次に、装飾記号に従って装飾した文字列を本文に挿入する（ステップＳ６６）。
【００５５】
ここで、図１５に、文字撮影からメール新規作成画面の表示、文字列の取り込みまでの様子を示している。図示の例では、Ｅメール起動記号以外の装飾記号がある文章「＠Ｒこんにちは。＠Ｒ    ＠Ｂ今日の調子はどう？＠Ｂ    まだ遊びにいこうね。＾＿＾）」１０１を撮影した場合には、装飾記号「＠Ｒ」や「＠Ｂ」などがあるので、装飾記号に従って文字列が装飾されて表示される。そして、さらに、Ｅメール送信指示があると、Ｅメール新規作成画面１１０の表示へ進む。
【００５６】
これに対して、文書の先頭に「＠Ｅ＠＠Ｘ」がある文章「＠Ｅ＠＠Ｘ    ＠Ｒこんにちは。＠Ｒ    ＠Ｂ今日の調子はどう？＠Ｂ    まだ遊びにいこうね。＾＿＾）」１０１を撮影した場合には、直接、装飾記号に従って装飾した文字列が本文に挿入された状態で、Ｅメール新規作成画面１１０が表示される。いずれの場合も、装飾記号「＠Ｒ」が記された「こんにちは。」は赤色で、装飾記号「＠Ｂ」が記された「今日の調子はどう？」は青色に装飾される。
【００５７】
次に、メール新規作成画面において、ユーザにより、他の項目、宛先や件名などを入力させる（ステップＳ６８）。次に、送信キーの操作が検出された否かを判断し（ステップＳ７０）、送信キーの操作が検出されると、必須項目（宛先、件名）が入力されているか判断する（ステップＳ７２）。そして、全ての必須項目が入力されていなければ、ステップＳ６８へ戻り、上述した処理を繰り返す。一方、全ての必須項目が入力されていれば、作成したＥメールを送信する（ステップＳ７４）。
【００５８】
上述した第２実施形態によれば、予め紙などに書いた文章の先頭にＥメール起動記号である装飾記号を記しておけば、当該文章を撮影するだけで、上記文章をＥメールの本文に取り込んだ状態で、自動的にＥメール新規作成画面が立ち上がるので、装飾を選択、指定するなどの煩わしい操作を行うことなく、作成難易度の高い装飾メールを容易に作成することできる。また、ユーザにより、紙などに記した文章を容易に（複数）作成することができるため、装飾メール作成時のテンプレートとして利用することが可能となる。また、他のユーザが作成したもの（紙に記した文章）を利用可能であるので、装飾メールの利用機会がさらに増すことが期待される。
【００５９】
なお、上述した実施形態において、装飾記号として、よく利用する顔文字も、カメラ付き携帯電話内の顔文字と対応させることで、装飾記号として用いることが可能である。また、同じような機能として、インターネットで用いられているＨＴＭＬにおいては、文字色等を指定するためのタグが長いので、本実施形態で採用した、比較的短い文字列からなる装飾記号を別途規定し、該装飾記号とＨＴＭＬのタグとを対応付けすることで、ユーザにより紙に記された文章を読み取ってＯＣＲにより文字認識することにより、ＨＴＭＬ形式のメールを作成するようにしてもよい。
【００６０】
また、実際には、装飾された文字列の表示においては、カメラ付き携帯電話に内蔵されているブラウザを利用する方が利便性が高い場合がある。この場合、本実施形態で採用した装飾記号に対応させたＨＴＭＬタグの対応表を備え、認識された装飾用の認識文字列を含む文字列をカメラ付き携帯電話上で単に表示するだけの場合には、その対応表により、まず、文字列のＨＴＭＬ変換を内部で行い、その変換された文字列を内部のブラウザで表示するようにしてもよい。
【図面の簡単な説明】
【００６１】
【図１】本発明の実施形態のカメラ付き携帯電話１の外観図（開状態：正面図、側面図）である。
【図２】カメラ付き携帯電話１の構成を示すブロック図である。
【図３】システムＲＯＭ１３２のデータ構造を示す概念図である。
【図４】ＲＡＭ１３３のデータ構造を示す概念図である。
【図５】ＲＡＭ１３５のデータ構造を示す概念図である。
【図６】プログラムＲＯＭ１３６のデータ構造を示す概念図である。
【図７】ユーザメモリ１４９のデータ構造を示す概念図である。
【図８】本第１実施形態における認識変換テーブル１３６７の、特に撮影した文字列に対する装飾を指定するための装飾記号の一例を示す図である。
【図９】本第１実施形態における文字入力の処理の流れを示すフローチャートである。
【図１０】本第１実施形態における文字入力の処理の流れを示すフローチャートである。
【図１１】本第１実施形態によるカメラ付き携帯電話１における文字入力の処理の動作を説明するための概念図である。
【図１２】本第２実施形態における認識変換テーブル１３６７の、特に撮影した文字列に対する装飾を指定するための装飾記号の一例を示す図である。
【図１３】本第２実施形態における文字入力の処理の流れを示すフローチャートである。
【図１４】本第２実施形態における文字入力の処理の流れを示すフローチャートである。
【図１５】本第２実施形態によるカメラ付き携帯電話１における文字入力の処理の動作を説明するための概念図である。
【符号の説明】
【００６２】
１  携帯電話（データ送信装置、電子機器）
２  蓋部
３  本体部
１０１  スピーカ
１０２  メイン表示部
１０３  アンテナ
１０４  カメラキー
１０５  メールキー
１０６  十字キー
１０７  決定キー
１０８  アドレスキー
１０９  ネット接続キー
１１０  クリアキー
１１１  オンフックキー
１１２  オフフックキー
１１３  テンキー
１１３ｂ  シャッターキー
１１４  マイク
１１６  サブ表示部
１１７  報知用ＬＥＤ
１１８  撮像レンズ（撮像手段）
１１９  フラッシュ用ＬＥＤ
１２０  報知スピーカ
１２３  アドレスデータバス処理部
１３０  無線送受信部
１３１  通信制御部（送信手段、データ送信部）
１３１１  通信データ処理部（送信手段、データ送信部）
１３１２  オーディオインターフェース
１３２  システムＲＯＭ
１３３  ＲＡＭ
１３４  画像処理制御部（変換手段、判断手段、加工手段、メールデータ加工手段、装飾手段、着色手段）
１３４１  カメラ・インターフェース
１３４２  ビデオ・グラフィック処理部
１３５  ＲＡＭ
１３６  プログラムＲＯＭ
１３６７  認識変換テーブル（加工情報記憶手段）
１３７  表示モジュール系ドライバ
１３８  ステップモータ
１３９  撮像デバイス（撮像手段、撮像部）
１４０  カメラ内信号処理部（撮像手段、撮像部）
１４２  音源ＩＣ
１４３  アンプ
１４４  コネクタ
１４６  外部インターフェースコントローラ
１４９  ユーザメモリ
１５０  ＲＡＭ
１５１  ＤＳＰ（撮像手段、撮像部）
【図１】
2006039724.tif 000003
【図２】
2006039724.tif 000004
【図３】
2006039724.tif 000005
【図４】
2006039724.tif 000006
【図５】
2006039724.tif 000007
【図６】
2006039724.tif 000008
【図７】
2006039724.tif 000009
【図８】
2006039724.tif 000010
【図９】
2006039724.tif 000011
【図１０】
2006039724.tif 000012
【図１１】
2006039724.tif 000013
【図１２】
2006039724.tif 000014
【図１３】
2006039724.tif 000015
【図１４】
2006039724.tif 000016
【図１５】
2006039724.tif 000017